(57)【要約】【課題】  姿勢矯正のために両脚に巻き付けて固定するための矯正具において、着脱操作性を向上させつつ、金具等の止め具の使用を避けることにより、使用者の苦痛を和らげることができる姿勢矯正用ベルト、及びその使用方法を提供する。【解決手段】  所定の幅と長さを有した帯状のベルト本体１と、ベルト本体の第１面１ａの一端寄り位置に所定長に渡って固定された第１の接続シート２と、ベルト本体の第２面１ｂの他端寄り位置に所定幅に渡って固定された第２の接続シート３と、を備え、第１の接続シートと第２の接続シートは互いに接合剥離自在なベルベットクロス（マジックテープ（登録商標））を構成している。【選択図】  図１
2005143586.tif 000002
【特許請求の範囲】
【請求項１】
所定の幅と長さを有した帯状のベルト本体と、ベルト本体の第１面の一端寄り位置に所定長に渡って固定された第１の接続シートと、ベルト本体の第２面の他端寄り位置に所定幅に渡って固定された第２の接続シートと、を備え、
第１の接続シートと第２の接続シートは互いに接合剥離自在なベルベットクロスを構成していることを特徴とする姿勢矯正用ベルト。
【請求項２】
前記ベルト本体の両端部には夫々環状の紐が固定されていることを特徴とする請求項１に記載の姿勢矯正用ベルト。
【請求項３】
請求項１又は２に記載の矯正用ベルトを幅、或いは長さが夫々異なる３種類用意し、最大幅のベルトを両膝上の大腿部に巻き付け固定し、中幅のベルトを両膝下に巻き付け固定し、最小幅のベルトを両足首に巻き付け固定することを特徴とする姿勢矯正用ベルトによる姿勢矯正方法。
【発明の詳細な説明】
【技術分野】
【０００１】
本発明は左右の脚の長さの長短差や、Ｏ脚、Ｘ脚、がに股等の脚の不均衡、変形に起因して発生する体調不良、疾病等を防止するための簡易な姿勢矯正ベルトに関するものである。
【背景技術】
【０００２】
人間の左右の脚は夫々股関節によって骨盤に支持されているが、股関節に支持された脚が正規の角度よりも外側にねじれて開いている場合には、当該脚は他方の脚よりも長くなることが知られている。左右の脚の長さや角度の不均衡は、脊椎の後方や側方への湾曲をもたらし、脊椎の湾曲は肩こり、頭痛、腰背痛、手のしびれ、気管支、循環器系の疾患等をもたらす原因となる（非特許文献１）。また、Ｏ脚、Ｘ脚、がに股等の脚の変形は、外観容姿を悪化させる心理的な問題ばかりでなく、歩行に伴う姿勢の悪化による種々の体調不良、疾病等の原因ともなる。
非特許文献１においては、左右脚の不均衡を矯正するために、綿ひもを両脚の足首、膝下、膝上に夫々縛り付ける方法を提案している。この矯正方法によれば、左右脚の股関節矯正と脊椎の湾曲を矯正することができる。
しかし、上記従来の矯正方法は、単にひもを縛り付ける方法であるため、縛り付ける作業と、取り外す作業に手間取る、という欠点があり、被矯正者が自宅で個人的に矯正を行う上で不便であり、効果的に矯正できない不具合があった。また、ひもを縛り付ける際の締め付け力の微調整が容易でなかった。
また、ベルトに金具や、樹脂止め具等を取り付けて、ベルトによる脚の締め付け作業や、取外し作業を容易化することも考えられるが、金具や止め具が脚の肉に食い込んで使用者に苦痛を与えたり、痕や痣を形成するという致命的な欠点があった。
【非特許文献１】「磯谷式猫背矯正法」健友館
【発明の開示】
【発明が解決しようとする課題】
【０００３】
本発明は上記に鑑みてなされたものであり、姿勢矯正のために両脚に巻き付けて固定するための矯正具において、着脱操作性を向上させつつ、金具等の止め具の使用を避けることにより、使用者の苦痛を和らげることができる姿勢矯正用ベルト、及びその使用方法を提供することを目的としている。
【課題を解決するための手段】
【０００４】
上記目的を達成するため、請求項１の発明は、所定の幅と長さを有した帯状のベルト本体と、ベルト本体の第１面の一端寄り位置に所定長に渡って固定された第１の接続シートと、ベルト本体の第２面の他端寄り位置に所定幅に渡って固定された第２の接続シートと、を備え、第１の接続シートと第２の接続シートは互いに接合剥離自在なベルベットクロス（マジックテープ＝登録商標）を構成していることを特徴とする。
股関節における脚の角度が正常状態からずれていることにより左右脚の長さのばらつきとそれに起因した脊髄の湾曲が生じるが、このような異常は膝上と膝下と足首を縛った状態で横臥したり、就寝することによって矯正可能である。本発明は、留め具を用いずに着脱操作性よく、しかも使用者に苦痛を与えずに安心して使用することができる矯正用ベルトを提供するものである。
請求項２の発明は、請求項１において、前記ベルト本体の両端部には夫々環状の紐が固定されていることを特徴とする。
ベルト本体両端部に設けた紐を環状に構成してつまみとして利用することにより、ベルトの取り付け作業性が大幅に向上する。
請求項３の発明の姿勢矯正用ベルトによる姿勢矯正方法は、請求項１又は２に記載の矯正用ベルトを幅、或いは長さが夫々異なる３種類用意し、最大幅のベルトを両膝上の大腿部に巻き付け固定し、中幅のベルトを両膝下に巻き付け固定し、最小幅のベルトを両足首に巻き付け固定することを特徴とする。
【発明の効果】
【０００５】
本発明によれば、姿勢矯正のために両脚に巻き付けて固定するためのベルト状矯正具において、着脱操作性を向上させつつ、金具等の止め具の使用を避けることにより、使用者の苦痛を和らげることができる。
【発明を実施するための最良の形態】
【０００６】
以下、本発明を図面に示した実施の形態により詳細に説明する。
図１は本発明の一実施形態に係る姿勢矯正用ベルトの構成図であり、図２は接続シート同士を接続した状態を示す図である。
本発明では、通常、３本の矯正ベルトＢ１、Ｂ２、Ｂ３を用いて、被矯正者の両脚の足首、膝下部（脹ら脛上部）、及び膝上部（大腿部下部）を夫々束ね、加圧しつつ固定する。各ベルトＢ１、Ｂ２、Ｂ３は、夫々幅寸法、長さ寸法が違う以外は同一構造である。
まず、各ベルトＢ１、Ｂ２、Ｂ３は、夫々所定の幅ｗ１（例えば、５ｃｍ）、ｗ２（例えば、６ｃｍ）、ｗ３（例えば、７ｃｍ）と、長さＬ１（例えば、６０ｃｍ）、Ｌ２（９０ｃｍ）、Ｌ３（例えば、９０ｃｍ）を有した帯状の各ベルト本体１と、各ベルト本体１の第１面１ａの一端寄り位置に所定長に渡って固定された第１の接続シート２と、ベルト本体１の第２面１ｂの他端寄り位置に所定幅に渡って固定（縫いつけ、接着等）された第２の接続シート３と、を備えている。第１及び第２の接続シート２、３は、夫々十分な幅、及び長手方向長を備えている。
上記の寸法に設定することにより、フリーサイズとして成人の被矯正者に適用することができる。児童、幼児に適用する場合には、更に寸法の小さいベルトを用いればよい。
ベルト本体１は、例えば木綿、アクリル等の合成繊維、等々任意の軟質の材料を使用した平坦な帯状体であり、両脚に密着して巻き付くことができる程度の適度な柔軟性と、幅方向に折れたり、シワになることがない程度の十分な保形性を有するように、使用材質、肉厚等が設定される。
第１の接続シート２と第２の接続シート３は互いに接合・剥離自在なベルベットクロス（マジックテープ（登録商標））を構成している。従って、図２（ａ）（ｂ）に示すようにベルト本体１を何れの長手方向に湾曲させても接続シート同士を接続することができ、両脚の任意の位置に巻き付けて固定することができる。また、第１及び第２の接続シート２、３の接続位置関係を長手方向にずらすことにより、締め付け力を強弱調整することが容易となる。更に、取外しに際しては両接続シートを剥離すればよいので、作業性がよく、使い勝手が良くなる。
各ベルトＢ１、Ｂ２、Ｂ３を構成するベルト本体１の長手方向一端部の対向し合う側縁１ｃには夫々環状の紐（つまみ）５が固定され、他端部にも環状の紐（つまみ）６が固定されている。このため、矯正ベルトを両脚に巻き付ける装着作業と、取外し作業に際して各紐５、６が手掛かりとなり、作業性が向上する。
【０００７】
次に、図３は上記３種類の矯正ベルトを被矯正者の両脚に取り付ける手順を示す図である。
図３に示すように、通常は、膝上部、膝下部、足首部の順にベルトをかけてゆく。
図４は取り付け方法を更に具体的に説明するための図である。
図４（ａ）は最大サイズのベルトＢ３を被矯正者の膝上部に巻き付ける手順を示しており、一対の環状つまみからなる紐５が有る側の一端部が内側となるように両脚に巻き付けてから、反対側の端部の第１の接続シート１を、ベルト一端部の第２面１ｂ側の第１の接続シート２上に重ねて接続する。この際、接続シート２、３間の長手方向位置関係を微調整することにより、締め付け力を調整できる。
更に、図４（ｂ）では紐５、６を指で摘んで矯正用ベルトを大腿下部に沿って回転させて任意の位置に調整する。
図４（ｃ）及び（ｄ）は夫々膝下部と、足首に対して、各ベルトＢ２、Ｂ１を巻き付ける手順を示しており、巻き付け、装着方法は図４（ａ）（ｂ）に示した場合と同様である。
この状態で、就寝したり、横になる場合には仰向けの姿勢をとるのが一般的であるが、横向きに寝ても支障はない。何れの場合も、所定時間継続してベルトによる矯正を継続することにより、股関節における脚部の角度が無理なく徐々に正常な状態に矯正され、左右脚の長さばらつき、脊椎の変形、Ｏ脚、Ｘ脚、がに股等々の変形が修正される。このため、これらの異常に起因した体調不良、疾病等の不具合を治療することができる。
更に、横臥する場合のみならず、椅子に着座している時に、膝上部を本発明のベルトにより束ねておくことにより、矯正効果と、集中力のアップを期待できる。
【図面の簡単な説明】
【０００８】
【図１】本発明の一実施形態に係る姿勢矯正用ベルトの構成図。
【図２】接続シート同士を接続した状態を示す図。
【図３】本発明のベルトの取り付け手順の説明図。
【図４】更に詳細な取り付け手順説明図。
【符号の説明】
【０００９】
Ｂ１、Ｂ２、Ｂ３  矯正ベルト、１  ベルト本体、１ａ  第１面、１ｂ  第２面、
接続シート、５、６  紐
【図１】
2005143586.tif 000003
【図２】
2005143586.tif 000004
【図３】
2005143586.tif 000005
【図４】
2005143586.tif 000006